(57)【特許請求の範囲】
【請求項１】
計器図を表示する計器図表示装置において、
計器図の種類情報、位置情報、大きさ情報、操作調節キー情報が設定される画面データと、計器図の種類ごとの計器図表示データとを記憶する記憶部と、
この記憶部から、画面データを読み込み、操作調節キー情報が設定されているとき、操作調節キー情報に基づいて、計器図表示データにより、計器図を並べて表示部の画面に表示し、操作調節キー情報が設定されていないとき、位置情報、大きさ情報に基づいて、計器図表示データにより、計器図を表示部の画面に表示する表示処理手段と、
この表示処理手段を備え、前記記憶部、前記表示部に接続する制御部と、
この制御部に接続し、前記表示処理手段が、操作調節キー情報に基づいて、計器図を並べて前記表示部の画面に表示したときに、計器図に対応する位置ごとに操作調節キーが設けられる操作部と
を有し、操作調節キーにより、対応する計器図の操作を行うことを特徴とする計器図表示装置。
【請求項２】
表示処理手段は、全画面で計器図を並べて表示することを特徴とする請求項１記載の計器図表示装置。
【請求項３】
表示処理手段は、操作調節キー情報により、計器図を操作調節キーにより操作可能かどうかの識別表示をすることを特徴とする請求項１または２記載の計器図表示装置。
【請求項４】
プラントの監視を行うプラント監視装置に用いたことを特徴とする請求項１〜３のいずれかに記載の計器図表示装置。
【発明の詳細な説明】
【０００１】
【発明の属する技術分野】
本発明は、計器図を表示する計器図表示装置に関し、操作調節キーと計器図の対応が明確にできる計器図表示装置に関するものである。
【０００２】
【従来の技術】
従来のプラント監視装置に用いられる計器図は、主にスタートアップ時に使用されることを目的として、全画面と全画面の１／４サイズのハーフ画面の２種類に合わせた計器図が用意されていた。このような計器図は、例えば、図４に示されるように、並列に８ループの計器図が表示される。この計器図は固定サイズの上、自由に画面上に配置できなかった。
【０００３】
しかし、プラントの概略図を表示し、プラントの監視を行うグラフィック画面に、計器図を加えて表示させたいという要求により、図５に示されるように計器図の大きさと位置を自由に表示できるできるようにした。これは、画面における位置情報（Ｘ，Ｙ）と大きさ情報（幅、高さ）と計器図の種類に基づいて、計器図の表示を行っている。
【０００４】
【発明が解決しようとする課題】
従来、プラント監視装置では、８ループを同時操作するため、図４に示す計器図の表示位置に対応して操作調節キーが設けられ、計器図に対して値の増減やマニュアル操作、自動操作の切り替えなどの操作を行っていた。
【０００５】
しかし、図５に示す装置では、計器図を自由に配置できるため、操作調節キーと計器図の対応ができなかった。
【０００６】
そこで、本発明の目的は、計器図の大きさと位置を自由に表示できると共に、操作調節キーと計器図の対応が明確にできる計器図表示装置を実現することにある。
【０００７】
【課題を解決するための手段】
本発明は、
計器図を表示する計器図表示装置において、
計器図の種類情報、位置情報、大きさ情報、操作調節キー情報が設定される画面データと、計器図の種類ごとの計器図表示データとを記憶する記憶部と、
この記憶部から、画面データを読み込み、操作調節キー情報が設定されているとき、操作調節キー情報に基づいて、計器図表示データにより、計器図を並べて表示部の画面に表示し、操作調節キー情報が設定されていないとき、位置情報、大きさ情報に基づいて、計器図表示データにより、計器図を表示部の画面に表示する表示処理手段と、
この表示処理手段を備え、前記記憶部、前記表示部に接続する制御部と、
この制御部に接続し、前記表示処理手段が、操作調節キー情報に基づいて、計器図を並べて前記表示部の画面に表示したときに、計器図に対応する位置ごとに操作調節キーが設けられる操作部と
を有し、操作調節キーにより、対応する計器図の操作を行うことを特徴とするものである。
【０００８】
このような本発明では、表示処理手段は、記憶部から画面データを読み込む。そして、表示処理手段は、操作調節キー情報が設定されているとき、操作調節キー情報に基づいて、計器図表示データにより、計器図を並べて表示する。このとき、操作調節キーにより、対応する計器図を操作する。
【０００９】
また、表示処理手段は、操作調節キー情報が設定されていないとき、位置情報、大きさ情報に基づいて、計器図表示データにより、計器図を表示する。
【００１０】
【発明の実施の形態】
以下図面を用いて本発明の実施の形態を説明する。
図１は本発明の一実施例を示した構成図である。図２は図１に示す装置の構成概念図である。
【００１１】
図において、プラント１は、制御部２に制御される。制御部２は、記憶部３、ＣＲＴ（表示部）４、操作部５に接続し、監視制御手段２１と表示処理手段２２とを有する。また、制御部２は一般にコンピュータで構成され、監視制御手段２１、表示処理手段２２は一般にプログラムで記述されている。そして、このプログラムは、一般に記録媒体（ＦＤ、ＣＤ−ＲＯＭ等）に記録され、コンピュータにインストールされる。
【００１２】
記憶部３は例えばハードディスク等で、画面データ３１、計器図表示データ３２等を記憶する。画面データ３１は、画面に描画するの種類情報、大きさ情報、位置情報、操作調節キー情報等からなる。ここで、操作調節キー情報は、対象外または”１〜８”で示される。
【００１３】
監視制御手段２１は、プラント１のプロセス値を収集し、このプロセス値と設定値により、プラント１に操作出力を行う。表示処理手段２２は、記憶部３からの画面データ３１を読み込み、操作調節キー情報に基づいて、計器図表示データにより、計器図４２ａ〜４２ｈを並べてＣＲＴ４の画面４１に表示し、操作調節キー情報が設定されていないとき、位置情報、大きさ情報に基づいて、計器図表示データにより、計器図をＣＲＴ４の画面４１に表示する。また、表示処理手段２２は、監視制御手段２１とデータのやり取りを行い、各種画面の表示処理を行なうと共に、監視制御手段２１からプロセス値、設定値、操作値等に基づいて、画面の変更を行う。
【００１４】
操作部５は、例えば、キーボートやマウス等で、計器図４２ａ〜４２ｈに対応する位置に、操作調節キー５１ａ〜５１ｈが設けられ、制御部２を操作する。
【００１５】
このような装置の動作を以下で説明する。
図３は図１に示す装置の動作を示したフローチャートである。
表示処理手段２２は、記憶部３から画面データ３１を取り込む（Ｓ１）。そして、表示処理手段２２は、画面データ３１より、計器図があるかどうかを判断する（Ｓ２）。計器図がある場合は次の処理に進む。計器図がない場合は、画面データ３１の各図の大きさ情報、位置情報に従い、記憶部３から各図表示データを読み出して、ＣＲＴ４の画面４１に表示する（Ｓ５）。
【００１６】
次に、表示処理手段２２は、画面データ３１に操作調節キー情報が”１〜８”に設定されるかどうかを判断する（Ｓ３）。操作調節キー情報が”１〜８”に設定されている場合は次の処理に進む。操作調節キー情報が”１〜８”に設定されていない場合は、画面データ３１の各図の大きさ情報、位置情報に従い、記憶部３から各図表示データと計器図表示データ３２を読み出して、ＣＲＴ４の画面４１に表示する（Ｓ５）。
【００１７】
このとき、表示処理手段２２は、操作調節キーが”１〜８”に設定されていないので、計器図のエントリーゾーン４６のひし形のマークの色を白色にする。
【００１８】
そして、表示処理手段２２は、記憶部３の計器図表示データ３２を読み出して、操作調節キー情報に基づいて、図２に示すように、計器図４２ａ〜４２ｈを並べて表示する（Ｓ４）。つまり、操作調節キー情報”１”が設定されたら、画面４１の一番左に、計器図４２ａのように表示される。操作調節キー情報”２”が設定されたら、画面の左から２番目に、計器図４２ｂのように表示される。その他、操作調節キー情報により、番号順に左から計器図４２ｃ〜４２ｈのように並べて表示される。
【００１９】
このとき、表示処理手段２２は、操作調節キーが”１〜８”に設定されているので、計器図４２ａ〜４２ｈのエントリーゾーン４６のひし形のマークの色を赤色にする。
【００２０】
画面が表示できたら、表示処理手段２２は、操作部５による入力または監視制御手段２１による入力により、画面の描画を更新し（Ｓ６）、画面の切り替えがあるまで繰返す（Ｓ７）。
【００２１】
つまり、図２に示す構成概念図で、マニュアル操作時において、オペレータが操作調節キー５１ａを押すと、表示処理手段２２は、計器図４２ａが操作され、設定値（ＳＶ）または操作値（ＭＶ）の値の表示を変更する。同時に、表示処理手段２２は、それぞれ設定値、操作値に対応する矢印４３，４４を変更する。そして、表示処理手段２２は、設定値、操作値を監視制御手段２１に送信し、監視制御手段２１はプラント１に対して制御を行う。
【００２２】
また、監視制御手段２１は、プラント１からプロセス値を収集し、プロセス値を表示処理手段２２に送信する。表示処理手段２２は、監視制御手段２１からプロセス値（ＰＶ）の値を受け取り、プロセス値の値の表示を変更し、バー４５を変更する。
【００２３】
そして、自動制御時においては、表示処理手段２２は、監視制御手段２１からプロセス値、設定値、操作値を入力し、表示を更新する。
【００２４】
このように、表示処理手段２２が画面データ３１の操作調節キー情報の設定を判断し、計器図４２ａ〜４２ｈの表示を行なうので、画面４１における計器図の大きさと位置を自由に設定できると共に、操作調節キー５１ａ〜５１ｈに対応した計器図４２ａ〜４２ｈを画面４１に表示することができる。つまり、操作調節キー５１ａ〜５１ｈと計器図４２ａ〜４２ｈの対応を明確にすることができる。
【００２５】
また、操作調節キー情報を設定すれば、計器図の大きさ情報、位置情報を設定しなくてもよいので、計器図の配置を容易に行うことができる。
【００２６】
そして、表示処理手段２２が、計器図を操作調節キー５１ａ〜５１ｈにより操作可能かどうかをエントリーゾーン４６に識別表示するので、同じような計器図の表示でも、操作調節キー５１ａ〜５１ｈで操作可能かどうかが容易にわかる。
【００２７】
なお、本発明はこれに限定されるものではなく、以下のようなものでもよい。操作調節キー５１ａ〜５１ｈによる操作の値を、表示処理手段２２が受けて、監視制御手段２１に渡す構成を示したが、監視制御手段２１、表示処理手段２２の両方が操作調整キー５１ａ〜５１ｈの操作の値を受け取る構成にしてもよい。また、監視制御手段２１が操作調節キー５１ａ〜５１ｈによる操作の値を受けて、表示処理手段２２に渡す構成にしてもよい。
【００２８】
【発明の効果】
本発明によれば、以下のような効果がある。
請求項１，２，４によれば、表示処理手段が画面データの操作調節キー情報の設定を判断し、計器図の表示を行なうので、画面における計器図の大きさと位置を自由に設定できると共に、操作調節キーに対応した計器図を画面に表示することができる。つまり、操作調節キーと計器図の対応を明確にすることができる。
【００２９】
また、操作調節キー情報を設定すれば、計器図の大きさ情報、位置情報を設定しなくてもよいので、計器図の配置を容易に行うことができる。
【００３０】
請求項３によれば、表示処理手段が、計器図を操作調節キーにより操作可能かどうかを識別表示するので、同じような計器図の表示でも、操作調節キーで操作可能かどうかが容易にわかる。
【図面の簡単な説明】
【図１】本発明の一実施例を示した構成図である。
【図２】図１に示す装置の構成概念図である。
【図３】図１に示す装置の動作を示したフローチャートである。
【図４】従来の計器図表示装置の表示例を示した図である。
【図５】従来の計器図表示装置の他の表示例を示した図である。
【符号の説明】
１  プラント
２１  監視制御手段
２２  表示処理手段
３  記憶部
５  操作部
【図１】
0003633381.tif 000002
【図２】
0003633381.tif 000003
【図３】
0003633381.tif 000004
【図４】
0003633381.tif 000005
【図５】
0003633381.tif 000006